(57)【要約】【課題】特別な操作を操作を必要とせずＰＣカードを保護することが可能なカード処理装置を提供すること。【解決手段】カードレシーバー（１２）と、前記カードレシーバーにカードが受け入れられたとき、このカードレシーバーから露出するカードの一部を保護する保護部材（１４）とを備えている。【選択図】　　　　　図２
2004070435.tif 000002
【特許請求の範囲】
【請求項１】
筐体と、
前記筐体に設けられ、カードを受け入れ可能なカードレシーバーを有するユニットとを備え、
前記ユニットが、
カードレシーバーと、
前記カードレシーバーにカードが受け入れられたとき、このカードレシーバーから突出するカードの一部を保護する保護部材と、
を備えたことを特徴とするカード処理装置。
【請求項２】
前記カードレシーバーは、カードを受け入れるための挿入口を有し、
前記保護部材は、前記カードレシーバーの前記第１の挿入口に対してカードを送り出すための送出口を有し、
前記挿入口と前記送出口は対向配置されていることを特徴とする請求項１に記載のカード処理装置。
【請求項３】
前記カードレシーバーは、前記筐体に収容されており、
前記保護部材は、前記筐体から露出している、
ことを特徴とする請求項１に記載のカード処理装置。
【発明の詳細な説明】
【０００１】
【発明の属する技術分野】
この発明は、カード、例えばＰＣカードを受け取り、ＰＣカードに対して情報を入力したり、ＰＣカードからの情報を受信したりするカード処理装置に関する。
【０００２】
【従来の技術】
一般的に、ＰＣ（パーソナルコンピュータ）などに接続して利用されるＰＣカード処理装置、いわゆるＰＣカードリーダが知られている。ＰＣカードリーダは、ＰＣカードレシーバーと回路基板と外装キャビネットとを一体として構成されている。ＰＣカードリーダは、ＰＣとケーブル接続することにより、ＰＣカードリーダが受け取ったＰＣカードを介して、ＰＣのデータを外部に送信したり、外部のデータをＰＣに入力したりする。また、ＰＣの中には、ＰＣカードスロットを実装している製品も一般に普及している。
【０００３】
【発明が解決しようとする課題】
しかしながら、ＰＣカードの中には、無線ＬＡＮカードの如くサイズが大きいものもある。このようなサイズの大きいカードは、ＰＣカードリーダ又はカードスロットへ挿入された後、ＰＣカードリーダ又はカードスロットからカードの一部が突出することがある。例えば無線ＬＡＮカードの場合、アンテナ部分が突出することがある。言い換えると、アンテナ部分であるために露出させなければならない。持ち運びの際に露出部分に物がぶつかる等、外力が作用するとカードを破損する可能性がある。この現象は、ノートパソコン、データプロジェクター等の持ち運び容易な電子機器で使用されるカードにおいて顕著である。
【０００４】
特開平１０−２８３４５０には、ＰＣカードの耐衝撃構造に関する技術が開示されている。この技術によると、ＰＣカードに対して耐衝撃構造を取り付けて、ＰＣカードを衝撃から保護するというものである。しかし、この技術によると、カードに対して、いちいち耐衝撃構造を取り付けなければならず、操作性に問題があった。
【０００５】
そこで本発明は上記の問題を解決するためになされたものであり、特別な操作を操作を必要とせずＰＣカードを保護することが可能なカード処理装置を提供することにある。
【０００６】
【課題を解決するための手段】
上記課題を解決し目的を達成するために、この発明のカード処理装置は、筐体と、前記筐体に設けられたユニットとを備え、前記ユニットが、カードレシーバーと、前記カードレシーバーにカードが受け入れられたとき、このカードレシーバーから突出するカードの一部を保護する保護部材とを備えている。
【０００７】
【発明の実施の形態】
以下、この発明の実施の形態について図面を参照して説明する。
【０００８】
図１は、この発明の一例のカード処理装置を適用したデータプロジェクターの外観を示す図である。図１に示すように、データプロジェクターは、原稿テーブル１、ＰＣカードスロットカバー２、カメラヘッド３、カメラレンズ４、カメラフォーカスリング５、カメラアーム６、カメラ操作部７、及びカメラ照明部８などを備えている。
【０００９】
原稿テーブル１には、読取対象の原稿が載置される。ＰＣカードスロットカバー２は、ＰＣカードのスロットをカバーする。ＰＣカードを利用して、データプロジェクターと他の電子機器とを接続することができる。カメラヘッド３は、カメラレンズ４、カメラフォーカスリング５、及びカメラ照明部８を備えている。カメラレンズ４は、原稿テーブル１に載置された読取対象の原稿を読み取るためのレンズである。カメラフォーカスリング５は、カメラのフォーカス調整機構である。カメラアーム６は、カメラレンズ４と原稿テーブル１に載置された読取対象の原稿との位置関係を調整するためのアームである。カメラ操作部７は、カメラヘッド３による原稿読取に関する各種設定等の操作入力を受け付ける。カメラ照明部８は、原稿を読み取るため、原稿を照らすものである。
【００１０】
図２は、この発明の一例に係るカード処理装置の外観を示す斜視図である。図２に示すように、カード処理装置は、ＰＣカード１１を受け入れ、ＰＣカード１１を介してデータの送受信を行なう。カード処理装置は、ＰＣカードレシーバー１２、回路基板（ユニット）１３、及びガイド部材１４などを備えている。さらに、回路基板１３はソケット１３ａを備えており、ガイド部材１４はパイロットランプ１３ｂを備えている。
【００１１】
ＰＣカード１１がカード処理装置に挿入されたとき、即ち、ＰＣカード１１がＰＣカードレシーバー１２に挿入されたとき、ＰＣカード１１の端部１１ａはＰＣカードレシーバー１２から突出する。
【００１２】
ＰＣカードレシーバー１２はガイドレール１２ａを備えており、ＰＣカード１１がＰＣカードレシーバー１２に挿入されるとき、ＰＣカード１１はガイドレール１２ａに導かれてＰＣカードレシーバー１２に収まる。即ち、ＰＣカード１１はＰＣカードレシーバー１２に対して着脱自在となっている。このＰＣカードレシーバー１２は回路基板１３に取り付けられている。即ち、ＰＣカード１１がＰＣカードレシーバー１２に収容された時点で、ＰＣカード１１と回路基板１３とは回路的に接続することになる。さらに、回路基板１３は、ある電子機器（例えばデータプロジェクタ）と接続されており、結果的にＰＣカード１１とある電子機器とが接続されることになる。
【００１３】
例えば、ＰＣカード１１が無線ＬＡＮカードであるとし、端部１１ａが無線回路ブロックであるとする。即ち、無線回路ブロックがＰＣカードレシーバー１２から突出するとする。ガイド部材１４は回路基板１３に取り付けられており、ガイド部材１４は、ＰＣカードレシーバー１２に収容された状態のＰＣカード１１の端部１１ａを囲むように構成されている。即ち、ガイド部材１４は、ＰＣカード１１（端部１１ａ）の保護部材として機能する。ガイド部材１４により、ＰＣカード１１（端部１１ａ）の破損が防止される。また、ガイド部材１４は、ＰＣカード１１を着脱する際のガイドレールとしても機能するので、ＰＣカード１１の着脱を容易になる効果がある。
【００１４】
ここで、ＰＣカードレシーバー１２とガイド部材１４の位置関係についてさらに詳しく説明する。上記説明したように、ＰＣカードレシーバー１２はＰＣカード１１を受け入れる。具体的に説明すると、図２の破線で示すように、ＰＣカードレシーバー１２の挿入口２０ａからＰＣカード１１を受け入れる。一方、ガイド部材１４はＰＣカード１１を保護するが、ＰＣカード１１がＰＣカードレシーバー１２に挿入されるとき、ＰＣカード１１はガイド部材１４を通過することになる。具体的に説明すると、図２の破線で示すように、ガイド部材１４の送出口２０ｂを介して、ＰＣカード１１はＰＣカードレシーバー１２に挿入されることになる。即ち、ＰＣカードレシーバー１２の挿入口２０ａとガイド部材１４の送出口２０ｂとは対向配置されている。
【００１５】
図３は、図１に示すデータプロジェクターに図２に示すカード処理装置を組み込む前の状態を示す分解図である。図３に示すように、データプロジェクターは、トップキャビネット１５ａ及びボトムキャビネット１５ｂを備えている。回路基板１３は、これらのトップキャビネット１５ａ及びボトムキャビネット１５ｂで構成されるキャビネット（筐体）に内蔵される。ガイド部材１４は、キャビネットと一体的に取り付く構造であが、ガイド部材１４は、キャビネットから露出した状態となる。これにより、ガイド部材１４が保護するＰＣカード１１の端部１１ａはキャビネットから露出した状態となり、その結果、ＰＣカード１１の端部１１ａはその機能を果たすことができる。具体的には、端部１１ａは、例えば無線回路ブロックであり、キャビネットから露出していなければ、十分機能することができない。
【００１６】
図４は、図１に示すデータプロジェクター（カメラアーム部除く）に図２に示すカード処理装置を組み込んだ状態を示す図である。
【００１７】
図１にも示すように、データプロジェクターは、ＰＣカードスロットカバー２を備えている。ＰＣカードスロットカバー２は、ガイド部材１４に対して着脱自在に構成されている。このような構成である為、図２に示すカード処理装置を図１に示すデータプロジェクターに内蔵する場合は、ＰＣカードスロットカバー２を取りつけると、ＰＣカードレシーバー１２に収容されたＰＣカード１１を完全に内包することができる。よって、カードスロット１４ａからのホコリなどの侵入を防止し、ＰＣカードへの外力作用を防止し、また不用意なＰＣカードの取り外しを防止することがきる。ホコリが侵入したり、ＰＣカードに外力が作用したり、不用意にＰＣカードが取り外れたりすると、ＰＣカードのデータが破壊されてしまう可能性がある。即ち、ＰＣカードスロットカバー２の取りつけにより、ＰＣカードのデータをより安全に保護することができる。
【００１８】
さらに、ＰＣカードスロットカバー２を透明材料で成形すれば、ＰＣカードスロットカバー２を取り外すことなく、パイロットランプ１３ｂの点滅を確認でき、いっそう便利である。
【００１９】
なお、データプロジェクターがカード処理装置を内蔵しない場合は、ＰＣカードスロットカバー２をネジ１７で固定することもできる。さらに、ＰＣカードスロットカバー２をトップキャビネット１５ａ及びボトムキャビネット１５ｂで構成されるキャビネット１５と同色とすることで、ユーザーが誤ってＰＣカードスロットカバー２を外す事がなくなり、内部への異物混入等の事故を防止できる。
【００２０】
以上の構成であるので、カード処理装置の内蔵の有り無しにかかわらず、トップキャビネット１５ａ及びボトムキャビネット１５ｂで構成されるキャビネットは、共通に使用できる。即ち、カード処理装置の内蔵の有り無しにかかわらず、キャビネットの外形寸法を同一にすることができ、製品梱包材を共通に使用できる。その結果、量産効果が向上することによるコストダウン等の利点もある。
【００２１】
図５は、図１に示すデータプロジェクターに図２に示すカード処理装置を組み込んだ状態を示す図（完成図）である。
【００２２】
図１に示すカメラアーム６は、トップキャビネット１５ａ及びボトムキャビネット１５ｂで構成されるキャビネット１５にネジ１９で取りつけられる構造である。カメラアーム支持体１８は電源プラグ１８ａを備えており、この電源プラグ１８ａが回路基板１３に設けられたソケット１３ａに挿入されると、両者は回路的に接続する。その結果、カメラヘッド３により読み取られた画像信号は、電源プラグ１８ａからソケット１３ａに供給され、ソケット１３ａから回路基板１３を経由してＰＣカードレシーバー１２に収容されたＰＣカード１１に供給される。即ち、データプロジェクターのメイン回路基板３０を経由することなく、データプロジェクターがカメラヘッド３により読み取られた画像信号をダイレクトにＰＣカード１１に提供することができる。この場合、電源プラグ１８ａから出力される信号はデジタル信号であり、途中アナログ信号に変換されることなく、ＰＣカード１１に提供される。
【００２３】
また、データプロジェクターのメイン回路基板３０には、ソケット３０ａが設けられている。このソケット３０ａに電源プラグ１８ａが挿入されると、カメラヘッド３により読み取られた画像信号は、メイン回路基板３０を経由して、ＰＣカード１１に提供されることになる。この場合、電源プラグ１８ａから出力される信号はデジタル信号は、途中アナログ信号に変換され、再度デジタル信号に変換されてからＰＣカード１１に提供されることになる。
【００２４】
この実施形態では、カメラアーム６は折り畳みアーム構造であるが、この場合、カメラアーム６を折りたたんでも、ＰＣカード１１の着脱に支障をきたさない位置にカード処理装置（ガイド部材１４）は設置されている。
【００２５】
図６は、図１に示すデータプロジェクターに図２に示すカード処理装置を組み込んだ状態を示す分解図であり、カード処理装置がイジェクトレバーを備えた様子を示す図である。図６に示すように、イジェクトレバー４０を矢印の方向に押し込むことにより、ＰＣカードレシーバーに収容されたＰＣカードを安全確実に取り外すことができる。イジェクトレバー４０の構造から、イジェクトレバー４０の押し込み量は制限されており、過剰な押し込みができないようになっている。これにより、イジェクトレバー４０の過剰な押し込みによる、ＰＣカードの飛び出しを防止できる。
【００２６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００２７】
【発明の効果】
この発明によれば、特別な操作を操作を必要とせずＰＣカードを保護することが可能なカード処理装置を提供できる。
【図面の簡単な説明】
【図１】この発明の一例のカード処理装置を適用したデータプロジェクターの外観を示す図である。
【図２】この発明の一例に係るカード処理装置の外観を示す斜視図である。
【図３】図１に示すデータプロジェクターに図２に示すカード処理装置を組み込んだ状態を示す分解図である。
【図４】図１に示すデータプロジェクター（カメラアーム部除く）に図２に示すカード処理装置を組み込んだ状態を示す図（完成図）である。
【図５】図１に示すデータプロジェクターに図２に示すカード処理装置を組み込んだ状態を示す図（完成図）である。
【図６】図１に示すデータプロジェクターに図２に示すカード処理装置を組み込んだ状態を示す分解図であり、カード処理装置がイジェクトレバーを備えた様子を示す図である。
【符号の説明】
１…原稿テーブル
２…ＰＣカードスロットカバー
３…カメラヘッド
４…カメラレンズ
５…カメラフォーカスリング
６…カメラアーム
７…カメラ操作部
８…カメラ照明部
１１…ＰＣカード１１
１２…ＰＣカードレシーバー
１２ａ…ガイドレール
１３…回路基板
１３ａ…ソケット
１４…ガイド部材
１５…キャビネット
１５ａ…トップキャビネット
１５ｂ…ボトムキャビネット
２０ａ…挿入口
２０ｂ…送出口
３０…メイン回路基板
３０ａ…ソケット
４０…イジェクトレバー
【図１】
2004070435.tif 000003
【図２】
2004070435.tif 000004
【図３】
2004070435.tif 000005
【図４】
2004070435.tif 000006
【図５】
2004070435.tif 000007
【図６】
2004070435.tif 000008